【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
ファイアウォールにインターネットプロトコル（ＩＰ）アドレスを追加する方法であって、
前記ファイアウォールにより保護されていない外部デバイスに関連する外部ＩＰアドレスを含むネットワークパケットを受信するステップと、
前記ファイアウォールによって保護された内部デバイスからのデータの受信をブロックするか、前記ファイアウォールによって保護された内部デバイスからのデータの受信を許可する、前記ファイアウォールによって維持されているＩＰアドレスのグループに、前記外部ＩＰアドレスが含まれているかどうかを決定するステップと、
前記外部ＩＰアドレスが前記ＩＰアドレスのグループに含まれていないという決定に応答して、前記外部ＩＰアドレスに関連するインターネットサービスプロバイダー（ＩＳＰ）を識別するステップと、
ユーザインタフェースをユーザに提示させるステップであって、前記ユーザインタフェースが前記外部ＩＰアドレスに関連するドメインのウェブページを表示するプレビューを含む、ステップと、
前記外部ＩＰアドレスに関連するＩＳＰの少なくとも一部に基づいて前記外部ＩＰアドレスを前記ＩＰアドレスのグループに追加するかどうかを決定するステップと、
前記外部ＩＰアドレスを前記ＩＰアドレスのグループに追加すべきという決定に応答して、前記ＩＳＰが前記ファイアウォールによって維持されているＩＳＰのグループに含まれているかどうかを決定するステップと、
前記ＩＳＰが前記ファイアウォールによって維持されている前記ＩＳＰのグループに含まれていないという決定に応答して、前記ＩＳＰを前記ＩＳＰのグループに追加し、前記外部ＩＰアドレスを前記ＩＰアドレスのグループに追加するステップと、
前記外部ＩＰアドレスに関連するブロックされたネットワークパケットの数を示すユーザインタフェースを提示させるステップと、を備える、方法。
【請求項２】
前記外部ＩＰアドレスを前記ＩＰアドレスのグループに追加するかどうかを決定するステップは、前記ユーザインタフェースを介して受信された入力に基づく、請求項１に記載の方法。
【請求項３】
前記ユーザインタフェースを提示させるステップをさらに含み、前記ユーザインタフェースは、前記外部ＩＰアドレスおよび前記外部ＩＰアドレスに関連するＩＳＰを示す、請求項２に記載の方法。
【請求項４】
前記外部ＩＰアドレスに関連する地理情報を識別するステップをさらに備え、前記ＩＰアドレスのグループに前記外部ＩＰアドレスを追加するかどうかを決定するステップは、前記外部ＩＰアドレスに関連する地理情報に基づく、請求項１に記載の方法。
【請求項５】
前記ＩＰアドレスのグループは、前記内部デバイスへのデータの送信をブロックされる、請求項１に記載の方法。
【請求項６】
ファイアウォールにインターネットプロトコル（ＩＰ）アドレスを追加するシステムであって、該システムは、ハードウェアプロセッサを備え、
前記ハードウェアプロセッサは、
前記ファイアウォールにより保護されていない外部デバイスに関連する外部ＩＰアドレスを含むネットワークパケットを受信し、
前記ファイアウォールによって保護された内部デバイスからのデータの受信をブロックするか、前記ファイアウォールによって保護された内部デバイスからのデータの受信を許可する、ファイアウォールによって維持されているＩＰアドレスのグループに、前記外部ＩＰアドレスが含まれているかどうかを決定し、
前記外部ＩＰアドレスが前記ＩＰアドレスのグループに含まれていないとの決定に応答して、前記外部ＩＰアドレスに関連するインターネットサービスプロバイダー（ＩＳＰ）を識別し、
ユーザインタフェースをユーザに提示させ、前記ユーザインタフェースが前記外部ＩＰアドレスに関連するドメインのウェブページを表示するプレビューを含み、
前記外部ＩＰアドレスに関連するＩＳＰの少なくとも一部に基づいて前記外部ＩＰアドレスを前記ＩＰアドレスのグループに追加するかどうかを決定し、
前記外部ＩＰアドレスを前記ＩＰアドレスのグループに追加すべきという決定に応答して、前記ＩＳＰが前記ファイアウォールによって維持されているＩＳＰのグループに含まれているかどうかを決定し、
前記ＩＳＰが前記ファイアウォールによって維持されている前記ＩＳＰのグループに含まれていないという決定に応答して、前記ＩＳＰを前記ＩＳＰのグループに追加し、前記外部ＩＰアドレスを前記ＩＰアドレスのグループに追加し、
前記外部ＩＰアドレスに関連するブロックされたネットワークパケットの数を示すユーザインタフェースを提示させるようプログラムされているように構成される、システム。
【請求項７】
前記外部ＩＰアドレスを前記ＩＰアドレスのグループに追加するかどうかは、前記ユーザインタフェースを介して受信された入力に基づいて決定する、請求項６に記載のシステム。
【請求項８】
前記ハードウェアプロセッサはさらに、前記ユーザインタフェースを提示させるようにプログラムされ、前記ユーザインタフェースは、前記外部ＩＰアドレスおよび前記外部ＩＰアドレスに関連するＩＳＰを示す、請求項７に記載のシステム。
【請求項９】
前記ハードウェアプロセッサはさらに、前記外部ＩＰアドレスに関連する地理情報を識別するようにプログラムされ、前記ＩＰアドレスのグループに前記外部ＩＰアドレスを追加するかどうかは前記外部ＩＰアドレスに関連する地理情報に基づいて決定する、請求項６に記載のシステム。
【請求項１０】
前記ＩＰアドレスのグループは、前記内部デバイスへのデータの送信をブロックされる、請求項６に記載のシステム。
【請求項１１】
プロセッサにより実行されると、ファイアウォールにインターネットプロトコル（ＩＰ）アドレスを追加する方法をプロセッサに実行させるコンピュータ実行可能命令を含む非一時的コンピュータ稼働媒体であって、
前記方法は、ファイアウォールにより保護されていない外部デバイスに関連する外部ＩＰアドレスを含むネットワークパケットを受信するステップと、
前記ファイアウォールによって保護された内部デバイスからのデータの受信をブロックするか、前記ファイアウォールによって保護された内部デバイスからのデータの受信を許可する、前記ファイアウォールによって維持されているＩＰアドレスのグループに、前記外部ＩＰアドレスが含まれているかどうかを決定するステップと、
前記外部ＩＰアドレスが前記ＩＰアドレスのグループに含まれていないとの決定に応答して、前記外部ＩＰアドレスに関連するインターネットサービスプロバイダー（ＩＳＰ）を識別するステップと、
ユーザインタフェースをユーザに提示させるステップであって、前記ユーザインタフェースが前記外部ＩＰアドレスに関連するドメインのウェブページを表示するプレビューを含む、ステップと、
前記外部ＩＰアドレスに関連するＩＳＰの少なくとも一部に基づいて前記外部ＩＰアドレスを前記ＩＰアドレスのグループに追加するかどうかを決定するステップと、
前記外部ＩＰアドレスを前記ＩＰアドレスのグループに追加すべきという決定に応答して、前記ＩＳＰが前記ファイアウォールによって維持されているＩＳＰのグループに含まれているかどうかを決定するステップと、
前記ＩＳＰが前記ファイアウォールによって維持されている前記ＩＳＰのグループに含まれていないという決定に応答して、前記ＩＳＰを前記ＩＳＰのグループに追加し、前記外部ＩＰアドレスを前記ＩＰアドレスのグループに追加するステップと、
前記外部ＩＰアドレスに関連するブロックされたネットワークパケットの数を示すユーザインタフェースを提示させるステップと、を備える、非一時的コンピュータ可読媒体。
【請求項１２】
前記外部ＩＰアドレスを前記ＩＰアドレスのグループに追加するかどうかを決定するステップは、前記ユーザインタフェースを介して受信された入力に基づく、請求項１１に記載の非一時的コンピュータ可読媒体。
【請求項１３】
前記ユーザインタフェースを提示させるステップをさらに含み、前記ユーザインタフェースは、前記外部ＩＰアドレスおよび前記外部ＩＰアドレスに関連するＩＳＰを示す、請求項１２に記載の非一時的コンピュータ可読媒体。
【請求項１４】
前記外部ＩＰアドレスに関連する地理情報を識別するステップをさらに備え、前記ＩＰアドレスのグループに前記外部ＩＰアドレスを追加するかどうかを決定するステップは、前記外部ＩＰアドレスに関連する地理情報に基づく、請求項１１に記載の非一時的コンピュータ可読媒体。
【請求項１５】
前記ＩＰアドレスのグループは、前記内部デバイスへのデータの送信をブロックされる、請求項１１に記載の非一時的コンピュータ可読媒体。
【手続補正２】
【補正対象書類名】図面
【補正対象項目名】図１
【補正方法】変更
【補正の内容】
【図１】
2020533906.tif 000001